(57)【要約】【課題】  メインスイッチと操作部材の有効及び無効を切り替えるスイッチがあると、どちらがメインスイッチか分かり難く、紛らわしい。【解決手段】  メインスイッチに、オン及びオフの回転位置以外に回転位置を追加して、この追加した回転位置に操作部材の有効及び無効の切換え機能をもたせる。【選択図】  図１
2006023474.tif 000002
【特許請求の範囲】
【請求項１】
電源のオン及びオフ位置以外に少なくとも１以上の回転位置を有するメインスイッチと、各種設定を選択するための少なくとも１以上の操作部材を有し、前記メインスイッチの回転位置の変化により、前記操作部材の有効及び無効を切り替える機能を果たすことを特徴とする入力装置。
【請求項２】
前記メインスイッチは、前記操作部材の近傍に配置されていることを特徴とする請求項１に記載の入力装置。
【請求項３】
前記メインスイッチの前記操作部材を有効にする回転位置と、前記操作部材の間には、有効であることを指す指標が設けてあることを特徴とする請求項１または２に記載の入力装置。
【請求項４】
前記メインスイッチと操作部材が、外装部材の同一面上に配置されていることを特徴とする請求項１乃至３に記載の入力装置を備えたカメラ。
【発明の詳細な説明】
【技術分野】
【０００１】
本発明は、使用者が各種設定を自由に行うための操作部材を備えた入力装置及び該入力装置を備えたカメラに関する。
【背景技術】
【０００２】
従来から、カメラには、使用者がカメラの各種設定を選択するための操作部材が備えられている。しかし、その操作部材が不用意に動いてしまうと、使用者が気がつかないうちにカメラの露出補正値等の各種設定が変わってしまい、失敗撮影を行ってしまうことがあった。この問題を解決するために、図７及び図８に示す構成を持つカメラが知られている。
【０００３】
図７は、カメラ４１を背面から見た図であり、図８はカメラ４１の背面の操作部材を拡大した図である。４２はカメラ４１の電源のオン及びオフを切り替えるためのメインスイッチである。４３はメインスイッチポジション指標であり、メインスイッチ４２の位置と機能を示すためにカメラ４１の背面に印刷されている。また、ダイヤル４６はカメラ４１の露出補正値等の各種設定を行うための操作部材である。ダイヤルスイッチ４４は、ダイヤル４６の有効及び無効を切り替えるためのスイッチである。４５はダイヤルスイッチポジション指標であり、ダイヤルスイッチ４４の位置と機能を示すためにカメラ４１の背面に印刷されている。メインスイッチ４２とダイヤルスイッチ４４の動作について、以下に説明する。
【０００４】
図８（Ａ）に示すように、メインスイッチ指標４２ａを電源ＯＦＦ指標４３ａに合わせるようにメインスイッチ４２を半時計方向に回転させると、カメラ４１の電源がオフの状態になる。図８（Ｂ）及び、図８（Ｃ）に示すように、メインスイッチ指標４２ａを電源ＯＮ指標４３ｂに合わせるようにメインスイッチ４２を回転させると、カメラ４１の電源がオンの状態になる。
【０００５】
図８（Ｂ）に示すように、ダイヤルスイッチ指標４４ａをダイヤルＯＦＦ指標４５ａに合わせるようにダイヤルスイッチ４４を回転させると、ダイヤル４６の動作が無効になり、使用者がダイヤル４６を操作してもカメラ４１の各種設定は変わらない。図８（Ｃ）に示すように、ダイヤルスイッチ指標４４ａをダイヤルＯＮ指標４５ｂに合わせるようにダイヤルスイッチ４４を半時計方向に回転させると、ダイヤル４６の動作が有効になり、使用者がダイヤル４６を操作した際にカメラ４１の各種設定が変更できるようになる。ここで、関連指標４５ｃはダイヤルスイッチ４４とダイヤル４６が関連づいていることを使用者に知らせるための指標である。
【特許文献１】特開２００３−２０７８３４（〔０００２〕、〔０００３〕、図１０）
【発明の開示】
【発明が解決しようとする課題】
【０００６】
しかしながら、上記に述べた従来例では、メインスイッチ４２、ダイヤルスイッチ４４の両方が共に回転スイッチである。また、関連指標４５ｃがあるとはいえ、２つのスイッチの形状が似ているため、どちらがメインスイッチなのか分かり難いという問題があった。
【０００７】
また、複数のスイッチを使用しているため、スペースをとってしまうので、他の操作部材等のレイアウトの自由度が減ってしまう。
【課題を解決するための手段】
【０００８】
請求項１に記載の本発明は、電源のオン及びオフ位置以外に少なくとも１以上の回転位置を有するメインスイッチと、各種設定を選択するための少なくとも１以上の操作部材を有し、前記メインスイッチの回転位置の変化により、前記操作部材の有効及び無効を切り替える機能を果たすことを特徴とする。
【０００９】
ここで、請求項２に記載の本発明では、前記メインスイッチは、前記操作部材の近傍に配置されていることを特徴とする。
【００１０】
また、請求項３に記載の本発明では、前記メインスイッチの前記操作部材を有効にする回転位置と、前記操作部材の間には、有効であることを指す指標が設けてあることを特徴とする。
【００１１】
さらに、請求項４に記載の本発明では、前記メインスイッチと操作部材が、外装部材の同一面上に配置されていることを特徴とする。
【発明の効果】
【００１２】
本発明のカメラでは、従来のように似た形状のスイッチが複数存在し、各スイッチの機能の判別が紛らわしい状態を回避することができる。さらに、スイッチの数を減らすことができるので、操作部材のレイアウトの自由度が高まるとともに、コストダウン効果がある。
【発明を実施するための最良の形態】
【００１３】
以下、図面を参照しながら本発明の実施の形態を詳細に説明する。
【００１４】
（実施例１）
図１は、本発明の実施例１を示すカメラの背面図である。カメラ１１の背面には、メインスイッチ１２と、カメラの露出補正値等の各種設定を行うためのダイヤル１４が回転可能に配置されている。１３はメインスイッチポジション指標であり、メインスイッチ１２の位置と機能を示すためにカメラ１１の背面に印刷されている。メインスイッチ１２の動作について、以下に説明する。
【００１５】
図２は、図１の操作部材の部分を拡大したものである。
図２の（Ａ）では、メインスイッチ指標１２ａが電源ＯＦＦ指標１３ａを向く位置になっている。この状態の時、カメラ１１は、電源オフの状態になっている。
【００１６】
図２の（Ｂ）では、メインスイッチ指標１２ａが電源ＯＮ指標１３ｂを向く位置になっている。この状態の時、カメラ１１は、電源オン、かつ、ダイヤル１４無効の状態になっている。
【００１７】
図２の（Ｃ）では、メインスイッチ指標１２ａがダイヤル有効指標１３ｃを向く位置になっている。この状態の時、カメラ１１は、電源オン、かつ、ダイヤル１４有効の状態になっている。
【００１８】
このような構成をとることで、メインスイッチ１２一つでその回転位置を変えることにより電源のオン及びオフの切り替えと、ダイヤル１４の有効及び無効の切換えができる。
【００１９】
（実施例２）
図３は、本発明の実施例２を示すカメラの背面図である。カメラ２１の背面には、メインスイッチ２２と、カメラ２１の露出補正等の各種設定を行うためのダイヤル２４、及び十字キー２５が配置されている。２３はメインスイッチポジション指標であり、メインスイッチの位置と機能を示すためにカメラ２１の背面に印刷されている。メインスイッチ２２の動作について、以下に説明する。
【００２０】
図４は、図３の操作部材の部分を拡大したものである。
【００２１】
図４の（Ａ）では、メインスイッチ指標２２ａが電源ＯＦＦ指標２３ａを向く位置になっている。この状態の時、カメラ２１は、電源オフの状態になっている。
【００２２】
図４の（Ｂ）では、メインスイッチ指標２２ａが電源ＯＮ指標２３ｂを向く位置になっている。この状態の時、カメラ２１は、電源オン、かつダイヤル２４無効、かつ十字キー２５無効の状態になっている。
【００２３】
図４の（Ｃ）では、メインスイッチ指標２２ａがダイヤル有効指標２３ｃを向く位置になっている。この状態の時、カメラ２１は、電源オン、かつダイヤル２４有効、かつ十字キー２５無効の状態になっている。
【００２４】
図４の（Ｄ）では、メインスイッチ指標２２ａが十字キー有効指標２３ｄを向く位置になっている。この状態の時、カメラ２１は、電源オン、かつダイヤル２４無効、かつ十字キー２５有効の状態になっている。
【００２５】
このような構成をとることで、メインスイッチ２２一つで電源のオン及びオフの切り替えと、ダイヤル２４、及び十字キー２５の有効及び無効の切換えができる。
【００２６】
（実施例３）
図５は、本発明の実施例３を示すカメラの背面図である。カメラ３１の背面には、メインスイッチ３２と、カメラ３１の露出補正等の各種設定を行うためのダイヤル３４、及び十字キー３５が配置されている。３３は、メインスイッチポジション指標であり、メインスイッチの位置と機能を示すためにカメラ３１の背面に印刷されている。メインスイッチ３２の動作について、以下に説明する。
【００２７】
図６は、図５の操作部材の部分を拡大したものである。
【００２８】
図６の（Ａ）では、メインスイッチ指標３２ａが電源ＯＦＦ指標３３ａを向く位置になっている。この状態の時、カメラ３１は、電源オフの状態になっている。
【００２９】
図６の（Ｂ）では、メインスイッチ指標３２ａが電源ＯＮ指標３３ｂを向く位置になっている。この状態の時、カメラ３１は、電源オン、かつダイヤル３４無効、かつ十字キー３５無効の状態になっている。
【００３０】
図６の（Ｃ）では、メインスイッチ指標３２ａがダイヤル十字キー有効指標３３ｃを向く位置になっている。この状態の時、カメラ３１は、電源オン、かつダイヤル３４有効、かつ十字キー３５有効の状態になっている。
【００３１】
このような構成をとることで、メインスイッチ３２一つで電源のオン及びオフの切換えと、ダイヤル３４及び十字キー３５の、有効及び無効の切換えができる。
【図面の簡単な説明】
【００３２】
【図１】本発明の実施例１を示すカメラの背面図。
【図２】本発明の実施例１を示す図１の部分拡大図。
【図３】本発明の実施例２を示すカメラの背面図。
【図４】本発明の実施例２を示す図３の部分拡大図。
【図５】本発明の実施例３を示すカメラの背面図。
【図６】本発明の実施例３を示す図５の部分拡大図。
【図７】従来例を示すカメラの背面図。
【図８】従来例を示す図７の部分拡大図。
【符号の説明】
【００３３】
１１  カメラ
１２  メインスイッチ
１２ａ  メインスイッチ指標
１３  メインスイッチポジション指標
１３ａ  電源ＯＦＦ指標
１３ｂ  電源ＯＮ指標
１３ｃ  ダイヤル有効指標
１４  ダイヤル
【図１】
2006023474.tif 000003
【図２】
2006023474.tif 000004
【図３】
2006023474.tif 000005
【図４】
2006023474.tif 000006
【図５】
2006023474.tif 000007
【図６】
2006023474.tif 000008
【図７】
2006023474.tif 000009
【図８】
2006023474.tif 000010